(57)【要約】【課題】コンタクトのコンタクトハウジングからの意図しない引抜きから保護するばね舌片を有するコンタクトの提供。【解決手段】コンタクト１はコンタクト本体２を有する。コンタクト構造３はコンタクト本体２に取り付けられる。コンタクト構造３はばね舌片９を有する。ばね舌片９は、コンタクトハウジング１７内にコンタクト１を固定するためのロック面２９を有する自由端を有する。ロック面２９はロック位置及び組立位置間を移動可能である。ばね舌片９は第１及び第２保持舌片１０，７を有する。第１保持舌片１０は、ばね舌片９の縦方向に対して横方向に延びており、ロック面２９がロック位置にあるとき、コンタクト本体２の開口１３に係止する。第２保持舌片７は、ロック面２９がロック位置にあるとき、コンタクトハウジング１７に係止するためにばね舌片９に対して直交する方向に延びる。【選択図】図１
2004172119.tif 000002
【特許請求の範囲】
【請求項１】
コンタクト本体と、コンタクト本体に取り付けられたコンタクト構造とを具備するコンタクトであって、前記コンタクト構造はばね舌片を有し、該ばね舌片は、コンタクトハウジング内に前記コンタクトを固定するためのロック面を有する自由端を有し、前記ロック面は、ロック位置及び組立位置間を湾曲経路に沿って移動可能であるコンタクトにおいて、
前記ばね舌片から保持要素が延びており、
該保持要素は、前記ロック面が前記ロック位置にあるとき、前記湾曲経路の外側への曲げから前記ばね舌片を固定するよう前記コンタクト本体に係止することを特徴とするコンタクト。
【請求項２】
前記保持要素は、前記ばね舌片の縦方向に対して横方向に延びると共に前記コンタクト本体の開口に係止する第１保持舌片であることを特徴とする請求項１記載のコンタクト。
【請求項３】
前記開口は、前記第１保持舌片の移動を制限するための制限縁を有することを特徴とする請求項２記載のコンタクト。
【請求項４】
前記保持要素は、前記ばね舌片に対して直交方向に延びる第２保持舌片であり、
該第２保持舌片は、前記ロック面がロック位置にあるとき、前記コンタクトハウジングに係止するために前記ロック面を超えて延びる段を有することを特徴とする請求項１ないし３のうちいずれか１項記載のコンタクト。
【請求項５】
前記コンタクト本体は、前記ロック面が前記組立位置及び前記ロック位置間を移動する間、前記第２保持舌片を受容する凹部を有することを特徴とする請求項４記載のコンタクト。
【請求項６】
前記凹部は、前記組立位置の方向への前記ばね舌片の移動を制限する縁を有することを特徴とする請求項５記載のコンタクト。
【請求項７】
前記第２保持舌片は前記コンタクト本体の凹部に係止し、前記ロック面が前記組立位置にあるとき、縦方向に沿って前記ばね舌片の移動を制限することを特徴とする請求項４記載のコンタクト。
【請求項８】
前記ばね舌片は前記コンタクトの上側を覆うことを特徴とする請求項１記載のコンタクト。
【請求項９】
前記コンタクト構造は、前記ばね舌片と実質的に平行に延びる第１及び第２コンタクトばねを有することを特徴とする請求項８記載のコンタクト。
【請求項１０】
前記コンタクト構造は、打ち抜かれた金属板から形成されていることを特徴とする請求項９記載のコンタクト。
【請求項１１】
前記第１及び第２コンタクトばねは、中心線に沿って前記第１及び第２コンタクトばねの縦方向に延びるスロットを有することを特徴とする請求項９記載のコンタクト。
【請求項１２】
コンタクト本体と、コンタクト本体に取り付けられたコンタクト構造とを具備するコンタクトであって、前記コンタクト構造はばね舌片を有し、該ばね舌片は、コンタクトハウジング内に前記コンタクトを固定するためのロック面を有する自由端を有し、前記ロック面は、ロック位置及び組立位置間を移動可能であるコンタクトにおいて、
前記ばね舌片から第１保持舌片及び第２保持舌片が延びており、
前記第１保持舌片は、前記ばね舌片の縦方向に対して横方向に延びており、前記ロック面が前記ロック位置にあるとき、前記コンタクト本体の開口に係止し、
前記第２保持舌片は、前記ロック面が前記ロック位置にあるとき、前記コンタクトハウジングに係止するために前記ばね舌片に対して直交する方向に延びることを特徴とするコンタクト。
【請求項１３】
前記開口は、前記第１保持舌片の移動を制限するための制限縁を有することを特徴とする請求項１２記載のコンタクト。
【請求項１４】
前記コンタクト本体は、前記ロック面が前記組立位置及び前記ロック位置間を移動する間、前記第２保持舌片を受容する凹部を有することを特徴とする請求項１２又は１３記載のコンタクト。
【請求項１５】
前記凹部は、前記組立位置の方向への前記ばね舌片の移動を制限する縁を有することを特徴とする請求項１４記載のコンタクト。
【請求項１６】
前記第２保持舌片は前記コンタクト本体の凹部に係止し、前記ロック面が前記組立位置にあるとき、縦方向に沿って前記ばね舌片の移動を制限することを特徴とする請求項１２ないし１５のうちいずれか１項記載のコンタクト。
【請求項１７】
前記ばね舌片は前記コンタクトの上側を覆うことを特徴とする請求項１２ないし１６のうちいずれか１項記載のコンタクト。
【請求項１８】
前記コンタクト構造は、前記ばね舌片と実質的に平行に延びる第１及び第２コンタクトばねを有することを特徴とする請求項１７記載のコンタクト。
【請求項１９】
前記コンタクト構造は、打ち抜かれた金属板から形成されていることを特徴とする請求項１８記載のコンタクト。
【請求項２０】
前記第１及び第２コンタクトばねは、中心線に沿って前記第１及び第２コンタクトばねの縦方向に延びるスロットを有することを特徴とする請求項１８記載のコンタクト。
【発明の詳細な説明】
【技術分野】
【０００１】
本発明は、コンタクトに関し、より詳細には、コンタクトハウジング内にコンタクトを固定するためのロック面を有するばね舌片を有するコンタクトに関する。
【背景技術】
【０００２】
特許文献１は、ロック面を有するばね舌片を具備するコンタクトを開示する。ばね舌片は、矩形板の形状に形成され、曲げ線を介してコンタクト本体に連結される。コンタクトがコンタクトハウジング内に挿入される際、ばね舌片は上方へ回転し、コンタクトハウジングの保持面上に停止する。このため、ばね舌片は、コンタクトハウジングからコンタクトが意図せず脱落することを防止する。
【０００３】
特許文献２は、矩形板の形状に実質的に形成され、曲げ線を介してコンタクト本体に連結されたばね舌片を具備するコンタクトを開示する。ばね舌片は圧痕を有する。コンタクトがコンタクトハウジング内に挿入される際、ばね舌片はコンタクトハウジングの当接面に対向する。圧痕は、ばね舌片が崩壊するのを防止する。このため、ばね舌片は、コンタクトハウジングからコンタクトが意図せず引き抜かれることを防止する。
【特許文献１】欧州特許出願公開第８２１４３８号明細書
【特許文献２】欧州特許出願公告第５４７３９６号明細書
【発明の開示】
【発明が解決しようとする課題】
【０００４】
従って、本発明は、コンタクトのコンタクトハウジングからの意図しない引抜きから保護するばね舌片を有するコンタクトを提供することを目的とする。
【課題を解決するための手段】
【０００５】
前記目的及び他の目的は、コンタクト本体及びコンタクト本体に取り付けられたコンタクト構造を有するコンタクトにより達成される。コンタクト構造はばね舌片を有する。ばね舌片は、コンタクトハウジング内にコンタクトを固定するためのロック面を有する自由端を有する。ロック面は、ロック位置及び組立位置間を湾曲経路に沿って移動可能である。保持要素は、ばね舌片から延びると共に、ロック面がロック位置にあるとき、湾曲経路の外側への曲げからばね舌片を固定するようコンタクト本体に係止する。
【０００６】
前記目的及び他の目的はさらに、コンタクト本体及びコンタクト本体に取り付けられたコンタクト構造を有するコンタクトにより達成される。コンタクト構造はばね舌片を有する。ばね舌片は、コンタクトハウジング内にコンタクトを固定するためのロック面を有する自由端を有する。ロック面は、ロック位置及び組立位置間を移動可能である。ばね舌片は第１及び第２保持舌片を有する。第１保持舌片は、ばね舌片の縦方向に対して横方向に延びており、ロック面がロック位置にあるとき、コンタクト本体の開口に係止する。第２保持舌片は、ロック面がロック位置にあるとき、コンタクトハウジングに係止するためにばね舌片に対して直交する方向に延びる。
【発明を実施するための最良の形態】
【０００７】
以下、添付図面を参照して本発明を詳細に説明する。図１はコンタクトの斜視図である。図２はコンタクト構造の側面図である。図３はコンタクト構造の正面図である。図４はコンタクト構造の平面図である。図５はコンタクト構造の背面図である。図６はコンタクト構造の打ち抜いた部分の展開図である。図７は図１のコンタクトの側面図である。図８は、コンタクトハウジング内のコンタクトを示す断面図である。図９は、コンタクト構造の打ち抜いた部分の別の実施形態を示す展開図である。
【０００８】
図１はコンタクト１を示す図である。コンタクト１は、コンタクト本体２及びコンタクト構造３を具備する。コンタクト本体２及びコンタクト構造３は、導電性金属材料から製造される。図１に示されるように、コンタクト本体２は、２枚の側壁１４，１６、第１締付け舌片（第１圧着片）２５及び第２締付け舌片（第２圧着片）２６を具備する。第１側壁１４は開口１３を有する。開口１３は、右側縁３２、上側縁３３及び下側縁３４を有する。図７及び図８に最もよく示されるように、第２側壁１６は凹部１５を有する。凹部１５は下縁３０及び左側縁３１を有する。第１締付け舌片２５は、電気ケーブル（図示せず）の絶縁被覆をクランプするのに使用される。第２締付け舌片２６は、電気ケーブルの導電体（図示せず）をクランプし且つ電気的に接触するのに使用される。電気ケーブル、コンタクト本体２及びコンタクト構造３間の導電接続はこのように生成される。
【０００９】
図２ないし図５はコンタクト構造３を示す。コンタクト構造３は、コンタクト本体２の２側壁１４，１６間に挿入される。コンタクト構造３及びコンタクト本体２は、溶接点により互いにしっかりと連結される。コンタクト構造３は、コンタクト本体２の端面に隣接する開口枠６を有する。開口枠６は、挿入可能なコンタクトがコンタクト１に電気接続されるように挿入開口を形成する。
【００１０】
図２に最もよく示されるように、第１コンタクトばね４及び第２コンタクトばね５の２端領域は、開口枠６の対向する側面に固定される。第１及び第２コンタクトばね４，５は、後述するばね舌片９の一端を超えて延びる。第１及び第２コンタクトばね４，５は、波打っていると共に中心線に対して対称に配置される。図６に最もよく示されるように、第１及び第２コンタクトばね４，５は、中央に配置されたスロット１１を有する。第１及び第２コンタクトばね４，５は、挿入されるコンタクトが開口枠６を通ってコンタクト１内に挿入されると、両側で挿入コンタクトと接触する。スロット１１は、挿入コンタクト及びコンタクト構造３間の接触を改善する。
【００１１】
図４に最もよく示されるように、ばね舌片９は、開口枠６の上側の第１端領域に固定される。ばね舌片９は固定点１２を介して第１コンタクトばね４の開口枠６に連結されるので、コンタクト１の上側はばね舌片９により覆われる。固定点１２は例えば溶接点である。第１端領域から続いて、ばね舌片９は開口枠６にほぼ平行に配置される。図２に最もよく示されるように、開口枠６から所定距離の位置で、ばね舌片９は上方に曲がり、摺動部２７に合体する。摺動部２７は、開口枠６にほぼ平行に配置された第２端片２８に合体する。ロック面２９は、開口枠６の反対側の第１端で第２端片２８上に設けられる。図４に最もよく示されるように、ばね舌片９は、ばね舌片９の剛性を増大するためのビード４２を有する。
【００１２】
第１保持舌片１０及び第２保持舌片７は、第２端片２８の対向する縦側面に形成される。図３に最もよく示されるように、第１保持舌片１０は、ばね舌片９と一体的に形成されると共に、第２端片２８と同じ高さに設けられる。第２保持舌片７は、第１保持舌片１０の反対側のばね舌片９上に設けられる。第２保持舌片７は、第２端片２８から横方向に且つ第１コンタクトばね４の方向に約９０°下方に曲げられて案内される。図２及び図３に最もよく示されるように、第２保持舌片７は、第２端片２８から所定間隔をおいて横方向に延びる段８を有する。この段８は、第２保持舌片７を広げると共に、ロック面２９を超えてばね舌片９の縦方向に第２端片２８を超えて突出する。
【００１３】
図６は、第１コンタクトばね４、第２コンタクトばね５及びこれらコンタクトばねに連結されたばね舌片９を有するコンタクト構造３の打ち抜かれた部分を示す。第１及び第２コンタクトばね４，５のスロット１１は、これらコンタクトばね４，５の前端を貫通していない。コンタクト構造３は、打ち抜かれた部分を対応する形状に曲げ且つ押圧することにより、図６に示される打ち抜かれた部分から得られる。
【００１４】
図９は、コンタクト構造３の打ち抜かれた部分の別の実施形態を示す。この打ち抜かれた部分は、一体部品に構成され、第１コンタクトばね４、第２コンタクトばね５及びばね舌片９を有する。第１及び第２コンタクトばね４，５は、本実施形態においては第１及び第２コンタクトばね４，５の前端を貫通するスロット１１を有する。このため、第１及び第２コンタクトばね４，５は、平行に配置された２本のばねアームの形態に構成される。コンタクト構造３は、打ち抜かれた部分を対応する形状に曲げ且つ押圧することにより、図９に示される打ち抜かれた部分から得られる。
【００１５】
図８は、コンタクト１が挿入されるコンタクトハウジング１７を示す。コンタクトハウジング１７は左側にコンタクト開口１８を有する。コンタクト開口１８は、挿入可能なコンタクトがコンタクトばね４，５と接触するために、開口枠６への挿入可能なコンタクトの挿入のために使用される。コンタクトハウジング１７は、コンタクト開口１８の反対側に挿入開口１９を有する。コンタクトハウジング１７は、挿入開口１９に隣接し且つ傾斜面取り部２３を介して中間空間３６に合体する第１受容空間３５を有する。傾斜面取り部２３は、コンタクトハウジング１７の上側から第１受容空間３５内に突出し、下側当接面２１を有する保持ブロック４１を有する。中間空間３６は、第１受容空間３５より低く、段３７を介して第２受容空間３８まで広がる。第２受容空間３８は中間空間３６より高い。コンタクトハウジング１７の上側は、第２受容空間３８の上に配置された組立開口３９を有する。第２受容空間３８は、段２を介してコンタクト空間４０まで傾斜する。コンタクト空間４０は、コンタクト開口１８に連結されると共に、コンタクト１とほぼ同じ断面を有する。
【００１６】
コンタクト１の組立及び機能を詳細に説明する。電気ケーブル（図示せず）は、コンタクト本体２内に挿入され、第１及び第２固定舌片２５，２６によりクランプされ、電気ケーブル、コンタクト本体２及びコンタクト構造３間を導電接続する。コンタクト１の開口枠６は、コンタクトハウジング１７の挿入開口１９内に挿入される。第１受容空間３５の断面は、コンタクト１がばね舌片の摺動部２７まで受容空間３５内に挿入できるような寸法に設定される。コンタクト１が挿入開口１９内にさらに挿入されると、ばね舌片９の摺動部２７は傾斜面取り部２３に沿って摺動する。傾斜面取り部２３は、コンタクト本体２の方向にばね舌片９を下方に押圧する。第１側壁１４の開口１３の高さは、ばね舌片９を保持ブロック４１の下に十分に離れて押圧でき、中間領域３６を通って且つコンタクト空間４０の端部の停止部までコンタクト１を押圧可能となるように寸法に設定される。コンタクト１を挿入完了すると、ばね舌片９の摺動部２７及び第２端片２８は第２受容空間３８内に配置される。ばね舌片９のロック面２９が第２受容空間３８に到達すると、ばね舌片９は上方に弾発する。ロック面２９の端面が第２段３７上に停止すると、第２保持舌片７の段８が保持ブロック４１の下側当接面２１上に停止する。このため、ばね舌片９は、コンタクトハウジング１７にコンタクトにロックする。
【００１７】
第２側壁１６の凹部１５は、ばね舌片９が押圧されると第２保持舌片７が凹部１５内に弾性的に撓むことができるような形状に設定される。このため、第２保持舌片７は、ばね舌片９の移動と干渉することなく、第２側壁１６上に配置することができる。凹部１５の下縁３０は、第２保持舌片７を停止することにより、コンタクト本体２の方向にばね舌片９の下方への最大撓みを制限する。左縁３１は、第２保持舌片７の左縁に関連する。ばね舌片９のロック位置において、第２保持舌片７は既に凹部１５内に部分的に係止するのが好適である。この位置において、凹部１５の左縁３１は、縦方向へのばね舌片９の移動を制限する。このため、ばね舌片９は、ロック面２９上に作用する力に抗する凹部１５の左縁３１により固定され、ばね舌片９の変位又は曲げは力が増大するまで回避される。
【００１８】
第１保持舌片１０は、ばね舌片９の領域内に開口１３内へ係止する。第１保持舌片１０は、好適には開口１３の上縁３３に隣接する。図１に示されるように、右縁３２は第１保持舌片１０の後縁と関連する。第１保持舌片１０が開口１３に係止すると、ばね舌片９は、ロック面２９上に作用する力により、変位に抗して第１保持舌片１０により固定され、これにより保持される。開口１３の上縁３３はばね舌片９の上方への最大撓みを制限する。下縁３４は、第１保持舌片１０を停止することにより、コンタクト本体２の方向へのばね舌片９の最大撓みを制限する。第１保持舌片１０は、挿入の間、開口１３内に位置したままである。
【００１９】
開口１３、第１保持舌片１０、凹部１５及び第２保持舌片７は、コンタクト本体２の方向にばね舌片９の固定された最大撓みで、第１保持舌片１０及び第２保持舌片７が開口１３の下縁３４上及び凹部１５の下縁３０上に同時に休止するように、互いに合致する。これにより、コンタクト本体２の方向、すなわち組立位置の方向にばね舌片９の撓みの対称的制限が達成される。
【００２０】
第１及び第２締付け舌片２５，２６によりコンタクト１にしっかり接続されたケーブルにより、コンタクト１上に張力が及ぶと、段３７に平行に配置されたロック面２９は、段３７に抗して押圧される。この位置では、ばね舌片９の第２端片２８上の縦方向へばね舌片９上に力が及ぶ。この力の結果、ばね舌片９の曲げが防止される。というのは、第２端片２８は両側面でコンタクト本体２に固定されるからである。ばね舌片９は、凹部１５の左縁３１に抗して支持される第２保持舌片７によりロック位置に保持される。そして、ばね舌片９は、開口１３の右縁３２に抗して支持される第１保持舌片１０によりロック位置に保持される。さらに、ばね舌片９の位置は、保持ブロック４１の下側に休止する段８によって保持ブロック４１に対して調整されるので、保持ブロック４１に対するコンタクト１の傾きが防止される。従って、挿入開口１９からのコンタクト１の意図しない引き抜きが防止される。
【００２１】
コンタクトハウジング１７からコンタクト１を取り外すために、ばね舌片９は、組立開口３９内に挿入された組立工具（図示せず）により、コンタクト本体２の方向へ下方に押圧される。ばね舌片９は、第２端片２８の上側が保持ブロック４１の当接面２１の下に位置するまで、下方に押圧される。すると、コンタクト１は、コンタクト１に固定された電気ケーブルにより挿入開口１９から引き抜かれる。
【図面の簡単な説明】
【００２２】
【図１】コンタクトの斜視図である。
【図２】コンタクト構造の側面図である。
【図３】コンタクト構造の正面図である。
【図４】コンタクト構造の平面図である。
【図５】コンタクト構造の背面図である。
【図６】コンタクト構造の打ち抜いた部分の展開図である
【図７】図１のコンタクトの側面図である。
【図８】コンタクトハウジング内のコンタクトを示す断面図である。
【図９】コンタクト構造の打ち抜いた部分の別の実施形態を示す展開図である。
【符号の説明】
【００２３】
１    コンタクト
２    コンタクト本体
３    コンタクト構造
４    第１コンタクトばね
５    第２コンタクトばね
７    第２保持舌片
８    段
９    ばね舌片
１０  第１保持舌片
１１  スロット
１３  開口
１５  凹部
１７  コンタクトハウジング
２９  ロック面
３０，３２，３３  縁
【図１】
2004172119.tif 000003
【図２】
2004172119.tif 000004
【図３】
2004172119.tif 000005
【図４】
2004172119.tif 000006
【図５】
2004172119.tif 000007
【図６】
2004172119.tif 000008
【図７】
2004172119.tif 000009
【図８】
2004172119.tif 000010
【図９】
2004172119.tif 000011